(57)【要約】【課題】  複数の副画素のサイズを調整することが可能な表示装置を提供する。【解決手段】  表示装置は、第１信号線Ｓ１と、第２信号線Ｓ２と、第１走査線と、第２走査線と、第３走査線と、第１画素電極ＰＥ１を有する第１副画素と、第２画素電極ＰＥ２を有する第２副画素と、を備える。第１間隔Ｄ１ａは、第２間隔Ｄ２ａより大きい。【選択図】図６
2018013584.tif 000002
【特許請求の範囲】
【請求項１】
第１信号線と、
第１方向に前記第１信号線に間隔を置いて並べられた第２信号線と、
第１走査線と、
前記第１走査線と、前記第１方向に交差する第２方向に、間隔を置いて並べられた第２走査線と第３走査線と、
第１画素電極を有する第１副画素と、第２画素電極を有する第２副画素と、
を備え、
平面視において、前記第１信号線と前記第２信号線と前記第１走査線と前記第２走査線とで囲まれ、前記第１画素電極が形成された領域は第１領域であり、
平面視において、前記第１信号線と前記第２信号線と前記第２走査線と前記第３走査線とで囲まれ、前記第２画素電極が形成された領域は第２領域であり、
前記第１領域は前記第１方向に第１間隔を有し、前記第２領域は前記第１方向に第２間隔を有し、
前記第１間隔は前記第２間隔よりも大きい、表示装置。
【請求項２】
前記第１間隔は、前記第１領域の前記第２方向の中央部における間隔であり、
前記第２間隔は、前記第２領域の前記第２方向の中央部における間隔である、
請求項１に記載の表示装置。
【請求項３】
前記第１副画素は、第１色の副画素であり、
前記第２副画素は、第２色の副画素であり、
前記第１色は、青色であり、かつ、３８０ｎｍ以上４９０ｎｍ未満の波長を有し、
前記第２色は、白色である、
請求項１又は２に記載の表示装置。
【請求項４】
前記第１方向及び前記第２方向に並べられた複数の第１主画素及び複数の第２主画素をさらに備え、
各々の前記第１主画素は、
前記第１副画素と、第３副画素と、第４副画素と、を有し、
前記第１副画素と前記第３副画素と前記第４副画素は、前記第１方向に配列し、
各々の前記第２主画素は、
前記第２副画素と、前記第３副画素と、前記第４副画素と、を有し、
前記第２副画素と前記第３副画素と前記第４副画素は、前記第１方向に配列し、
前記第１方向に隣合う前記第１主画素と前記第２主画素とに含まれる６個の副画素の群は、前記第１方向に等間隔で配置されている、
請求項１乃至３のいずれか１項に記載の表示装置。
【請求項５】
前記第１信号線及び前記第２信号線を含む複数の信号線をさらに備え、
前記第１主画素及び前記第２主画素において、各副画素は平面視において一対の前記信号線の間にあり、各副画素における前記一対の信号線の間隔は一定である、
請求項４記載の表示装置。
【請求項６】
前記第１副画素は、第１色の副画素であり、
前記第２副画素は、第２色の副画素であり、
前記第３副画素は、第３色の副画素であり、
前記第４副画素は、第４色の副画素であり、
前記第１色は、青色であり、かつ、３８０ｎｍ以上４９０ｎｍ未満の波長であり、
前記第２色は、白色であり、
前記第３色は、赤色であり、かつ、５９０ｎｍ以上７８０ｎｍ未満の波長であり、
前記第４色は、緑色であり、かつ、４９０ｎｍ以上５９０ｎｍ未満の波長である、
請求項４又は５に記載の表示装置。
【請求項７】
前記第１信号線は、前記第１画素電極の第１線状電極と並行して延在した第１延在部と、前記第２画素電極の第２線状電極と並行して延在した第２延在部と、前記第１延在部と前記第２延在部とを接続した第１接続部と、を有し、
前記第２信号線は、前記第１線状電極と並行して延在した第３延在部と、前記第２線状電極と並行して延在した第４延在部と、前記第３延在部と前記第４延在部とを接続した第２接続部と、を有する、
請求項１乃至６のいずれか１項に記載の表示装置。
【請求項８】
前記第１信号線は、前記第１延在部と前記第１接続部との境界で屈曲し、
前記第２信号線は、前記第３延在部と前記第２接続部との境界で屈曲している、
請求項７に記載の表示装置。
【請求項９】
前記第２方向に対して第１回転方向に鋭角に傾斜した方向を第３方向とし、前記第２方向に対して前記第１回転方向とは逆回りの第２回転方向に鋭角に傾斜した方向を第４方向とした場合に、
前記第１線状電極、前記第１延在部、及び前記第３延在部は、前記第３方向に延出し、
前記第２線状電極、前記第２延在部、及び前記第４延在部は、前記第４方向に延出し、
前記第１接続部と前記第２接続部は、前記第２方向に延在している、
請求項８に記載の表示装置。
【請求項１０】
前記第１接続部のうち前記第１延在部側の端部は前記第２方向から前記第２回転方向に鋭角に傾斜した方向に延出し、
前記第２接続部のうち前記第３延在部側の端部は前記第２方向から前記第２回転方向に鋭角に傾斜した方向に延出している、
請求項９に記載の表示装置。
【請求項１１】
前記第１信号線に接続された第１電極領域と、前記第１画素電極に接続された第２電極領域と、前記第１電極領域と前記第２電極領域との間に位置し前記第１走査線と重畳した第３電極領域と、を有した第１半導体層と、
前記第１信号線に接続された第４電極領域と、前記第２画素電極に接続された第５電極領域と、前記第４電極領域と前記第５電極領域との間に位置し前記第２走査線と重畳した第６電極領域と、を有した第２半導体層と、をさらに備え、
前記第１領域の外側に前記第２電極領域、前記第５電極領域が位置している、
請求項１乃至９のいずれか１項に記載の表示装置。
【請求項１２】
前記第１走査線は、前記第１方向に延在する第１主部と、前記第１主部から分岐した第１分岐部を有し、
前記第２走査線は、前記第１方向に延在する第２主部と、前記第２主部から分岐した第２分岐部を有し、
前記第２分岐部は、前記第１分岐部の延在方向の反対方向に延在し、
前記第１半導体層は、前記第１主部と前記第１分岐部と重畳し、
前記第２半導体層は、前記第２主部と前記第２分岐部と重畳する、
請求項１１記載の表示装置。
【請求項１３】
第３半導体層をさらに備え、
前記第３半導体層は、前記第１走査線の前記第１主部と２点で重畳する、
請求項１２に記載の表示装置。
【発明の詳細な説明】
【技術分野】
【０００１】
本発明の実施形態は、表示装置に関する。
【背景技術】
【０００２】
近年、スマートフォンやタブレット向けの表示装置では、さらなる高解像度化及び高開口率化の要求が高まっている。一例として、任意の行に、第３色（Ｒ）の副画素、第４色（Ｇ）の副画素、及び第２色（Ｗ）の副画素が、順に並べられている。次の行に、第３色の副画素、第４色の副画素、及び第１色（Ｂ）の副画素が、順に並べられている。複数の第３色の副画素は、同一の列に並べられている。複数の第４色の副画素は、同一の列に並べられている。第１色の副画素と第２色の副画素とは、同一の列に並べられている。例えば、第３色の副画素及び第４色の副画素の各々の幅より、第１色の副画素及び第２色の副画素の各々の幅を大きくすることができる。
【０００３】
しかしながら、第１色の副画素の幅を大きくすると、付随して第２色の副画素の幅も大きくなる。このため、信号線に沿って並ぶ複数の副画素の幅を異ならせることは困難である。
【先行技術文献】
【特許文献】
【０００４】
【特許文献１】特開２０１５−１５５９５３号公報
【発明の概要】
【発明が解決しようとする課題】
【０００５】
本実施形態は、複数の副画素のサイズを調整することが可能な表示装置を提供する。
【課題を解決するための手段】
【０００６】
一実施形態に係る表示装置は、
第１信号線と、
第１方向に前記第１信号線に間隔を置いて並べられた第２信号線と、
第１走査線と、
前記第１走査線と、前記第１方向に交差する第２方向に、間隔を置いて並べられた第２走査線と第３走査線と、
第１画素電極を有する第１副画素と、第２画素電極を有する第２副画素と、
を備え、
平面視において、前記第１信号線と前記第２信号線と前記第１走査線と前記第２走査線とで囲まれ、前記第１画素電極が形成された領域は第１領域であり、
平面視において、前記第１信号線と前記第２信号線と前記第２走査線と前記第３走査線とで囲まれ、前記第２画素電極が形成された領域は第２領域であり、
前記第１領域は前記第１方向に第１間隔を有し、前記第２領域は前記第１方向に第２間隔を有し、
前記第１間隔は前記第２間隔よりも大きい。
【図面の簡単な説明】
【０００７】
【図１】図１は、一実施形態に係る液晶表示装置の構成を斜視図である。
【図２】図２は、図１に示した液晶表示パネルを示す断面図である。
【図３】図３は、上記液晶表示パネルの表示領域における複数の画素群の配列の一例を示す図である。
【図４】図４は、上記複数の画素群の一部を示す図であり、画素群の複数の画素などの配列の一例を示す図である。
【図５】図５は、図１及び図２に示したアレイ基板の構成を示す回路図である。
【図６】図６は、上記液晶表示パネルの１個の画素群を示す構成図であり、信号線、画素電極、及び遮光層を示す平面図である。
【図７】図７は、図６に示した２個の画素の一部を示す拡大平面図である。
【図８】図８は、図７の線ＶＩＩＩ−ＶＩＩＩに沿った液晶表示パネルを示す断面図である。
【図９】図９は、上記実施形態の変形例に係る液晶表示パネルの走査線及び信号線を示す平面図である。
【発明を実施するための形態】
【０００８】
以下に、一実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
本実施形態に係る液晶表示装置は、例えば、スマートフォン、タブレット端末、携帯電話端末、パーソナルコンピュータ、テレビ受像装置、車載装置、ゲーム機器等の種々の装置に用いることができる。
【００１０】
図１は、液晶表示装置ＤＳＰの構成を示す斜視図である。本実施形態では、第１方向ｄ１及び第２方向ｄ２は、互いに直交している。第５方向ｄ５は、第１方向ｄ１及び第２方向ｄ２のそれぞれと互いに直交している。ここで言う方向は、図中矢印の指す方向であり、矢印に対して１８０度反転した方向については逆方向とする。尚、第１方向ｄ１及び第２方向ｄ２は。９０°以外の角度で交差していてもよい。
【００１１】
図１に示すように、液晶表示装置ＤＳＰは、アクティブマトリックス型の液晶表示パネルＰＮＬ、液晶表示パネルＰＮＬを照明するバックライトユニットＢＬ、フレキシブル配線基板ＦＰＣ１、ＦＰＣ２、駆動ＩＣチップＩＣなどを備えている。フレキシブル配線基板ＦＰＣ１、ＦＰＣ２は、液晶表示装置、或いは、液晶表示装置の外部に設けられる制御モジュールＣＭに接続されている。
【００１２】
以下の説明において、バックライトユニットＢＬから液晶表示パネルＰＮＬに向かう方向を上方（あるいは、単に上）とし、液晶表示パネルＰＮＬからバックライトユニットＢＬに向かう方向を下方（あるいは、単に下）とする。また、「第１部材の上方の第２部材」及び「第１部材の下方の第２部材」とした場合、第２部材は、第１部材に接していてもよく、又は第１部材から離れて位置していてもよい。後者の場合、第１部材と第２部材との間に、第３の部材が介在していてもよい。
【００１３】
液晶表示パネルＰＮＬは、アレイ基板ＡＲと、アレイ基板ＡＲに対向配置された対向基板ＣＴとを備えている。液晶表示パネルＰＮＬは、画像を表示する表示領域ＤＡと、表示領域ＤＡを囲む額縁状の非表示領域ＮＤＡと、を備えている。液晶表示パネルＰＮＬは、表示領域ＤＡにおいて第１方向ｄ１及び第２方向ｄ２にマトリクス状に配列された複数の主画素を備えている。以下、主画素を単に画素ＭＰと表現する。画素ＭＰは、後述する４種類の副画素のうち３個の副画素のグループに相当する。
【００１４】
バックライトユニットＢＬは、アレイ基板ＡＲの背面に配置されている。このようなバックライトユニットＢＬとしては、種々の形態が適用可能であるが、詳細な構造については説明を省略する。フレキシブル配線基板ＦＰＣ１は、液晶表示パネルＰＮＬと制御モジュールＣＭとを接続している。フレキシブル配線基板ＦＰＣ２は、バックライトユニットＢＬと制御モジュールＣＭとを接続している。駆動ＩＣチップＩＣは、フレキシブル配線基板ＦＰＣ１に実装されている。
【００１５】
このような構成の液晶表示装置ＤＳＰは、バックライトユニットＢＬから液晶表示パネルＰＮＬに入射する光を各副画素で選択的に透過することによって画像を表示する、いわゆる透過型の液晶表示装置に相当する。但し、液晶表示装置ＤＳＰは、外部から液晶表示パネルＰＮＬに向かって入射する外光を各副画素で選択的に反射することによって画像を表示する反射型の液晶表示装置であってもよいし、透過型及び反射型の双方の機能を備えた半透過型の液晶表示装置であってもよい。
【００１６】
図２は、液晶表示パネルＰＮＬを示す断面図である。  
図２に示すように、液晶表示パネルＰＮＬは、アレイ基板ＡＲ、対向基板ＣＴ、液晶層ＬＣ、シール材ＳＥ、第１光学素子ＯＤ１、第２光学素子ＯＤ２などを備えている。アレイ基板ＡＲ及び対向基板ＣＴの詳細については後述する。
【００１７】
シール材ＳＥは、非表示領域ＮＤＡに配置され、アレイ基板ＡＲと対向基板ＣＴとを貼り合わせている。液晶層ＬＣは、アレイ基板ＡＲと対向基板ＣＴとの間に保持されている。第１光学素子ＯＤ１は、アレイ基板ＡＲの液晶層ＬＣに接する面の反対側に配置されている。第２光学素子ＯＤ２は、対向基板ＣＴの液晶層ＬＣに接する面の反対側に配置されている。第１光学素子ＯＤ１及び第２光学素子ＯＤ２は、それぞれ偏光板を備えている。なお、第１光学素子ＯＤ１及び第２光学素子ＯＤ２は、位相差板などの他の光学素子を含んでいてもよい。
【００１８】
図３は、液晶表示パネルＰＮＬの表示領域ＤＡにおける複数の主画素群の配列の一例を示す図である。以下、主画素群を単に画素群ＭＰＧと表現する。  
図３に示すように、液晶表示パネルＰＮＬは、複数の画素群ＭＰＧを備えている。  
画素群ＭＰＧは、表示領域ＤＡにて、第１方向ｄ１及び第２方向ｄ２にマトリクス状に配列されている。複数の画素群ＭＰＧは、それぞれ４個の主画素を有している。ここでは、画素群ＭＰＧは、第１主画素及び第２主画素の２種類の画素が有している。本実施形態において、第１主画素としては、第１主画素Ａ１及び第１主画素Ａ２を挙げることができる。第２主画素としては、第２主画素Ｂ１及び第２主画素Ｂ２を挙げることができる。何れの画素群ＭＰＧにおいても、第１主画素Ａ１、第１主画素Ａ２、第２主画素Ｂ１及び第２主画素Ｂ２は、同様に配列されている。複数の第１主画素Ａ１，Ａ２及び複数の第２主画素Ｂ１，Ｂ２は、第１方向ｄ１及び第２方向ｄ２に市松状に並べられている。なお、第１主画素Ａ１、Ａ２及び第２主画素Ｂ１，Ｂ２の構成に関しては後述する。
【００１９】
画素の単位に注目すると、第１方向ｄ１において、一方で第１主画素Ａ１及び第２主画素Ｂ２が繰り返し並べられ、他方で第２主画素Ｂ１及び第１主画素Ａ２が繰り返し並べられている。第２方向ｄ２において、一方で第１主画素Ａ１及び第２主画素Ｂ１が繰り返し並べられ、他方で第２主画素Ｂ２及び第１主画素Ａ２が繰り返し並べられている。そして、同一種類の画素が第１方向ｄ１及び第２方向ｄ２に連続して並ぶことがないように、第１主画素Ａ１，Ａ２及び第２主画素Ｂ１，Ｂ２は、配列されている。
【００２０】
図４は、複数の画素群ＭＰＧの配列の一例を示す図である。図４には、画素群ＭＰＧのうちの４個の画素ＭＰの他、上記４個の画素ＭＰの周囲に位置する画素ＭＰも示している。  
図４に示すように、画素群ＭＰＧは、第１画素ＭＰ１、第２画素ＭＰ２、第３画素ＭＰ３、及び第４画素ＭＰ４を有している。第１画素ＭＰ１は上記第１主画素Ａ１に相当し、第２画素ＭＰ２は上記第２主画素Ｂ１に相当し、第３画素ＭＰ３は上記第１主画素Ａ２に相当し、第４画素ＭＰ４は上記第２主画素Ｂ２に相当している。
【００２１】
第１画素ＭＰ１及び第３画素ＭＰ３は、それぞれ第１色副画素ＳＰ１、第３色副画素ＳＰ３、及び第４色副画素ＳＰ４の３個の副画素ＳＰを有している。第２画素ＭＰ２及び第４画素ＭＰ４は、それぞれ第２色副画素ＳＰ２、第３色副画素ＳＰ３、及び第４色副画素ＳＰ４の３個の副画素ＳＰを有している。なお、第１色、第２色、第３色及び第４色は互いに異なる色である。
【００２２】
第１色副画素ＳＰ１は、第１色を表示する領域Ｒ１を有し、第１色の着色層ＣＦ１を備えている。第２色副画素ＳＰ２は、第２色を表示する領域Ｒ２を有し、第２色の着色層ＣＦ２を備えている。第３色副画素ＳＰ３は、第３色を表示する領域Ｒ３を有し、第３色の着色層ＣＦ３を備えている。第４色副画素ＳＰ４は、第４色を表示する領域Ｒ４を有し、第４色の着色層ＣＦ４を備えている。なお、領域Ｒ１乃至領域Ｒ４は、図中に二点鎖線で示している。各々領域Ｒ１乃至領域Ｒ４は、副画素ＳＰの開口領域と言い換えることができる。又は、各々領域Ｒ１乃至領域Ｒ４は、後述する信号線Ｓ及び遮光層ＳＨと対向していない領域と言い換えることができる。また、領域Ｒ１を第１領域、領域Ｒ２を第２領域、領域Ｒ３を第３領域、領域Ｒ４を第４領域、と称することがある。
【００２３】
第１方向ｄ１において、領域Ｒ３、領域Ｒ４、領域Ｒ１、領域Ｒ３、領域Ｒ４、及び領域Ｒ２は、第１方向ｄ１に、繰り返し設けられている。第２方向ｄ２に並んだ複数の第１画素ＭＰ１及び複数の第２画素ＭＰ２において、複数の領域Ｒ３は第２方向ｄ２に並べられ、複数の領域Ｒ４は第２方向ｄ２に並べられ、複数の領域Ｒ１及び複数の領域Ｒ２は第２方向ｄ２に並べられている。第２方向ｄ２に並んだ複数の第３画素ＭＰ３及び複数の第４画素ＭＰ４において、複数の領域Ｒ３は第２方向ｄ２に並べられ、複数の領域Ｒ４は第２方向ｄ２に並べられ、複数の領域Ｒ１及び複数の領域Ｒ２は第２方向ｄ２に並べられている。
【００２４】
領域Ｒ１乃至Ｒ４は、それぞれ略平行四辺形の形状を有している。上記着色層ＣＦ１乃至ＣＦ４については、それぞれ上記の副画素ＳＰのレイアウトに従って配置され、また、それぞれの副画素ＳＰのサイズに応じた面積を有している。着色層ＣＦ１及び着色層ＣＦ２は、第２方向ｄ２に交互に並べられている。着色層ＣＦ１は、領域Ｒ１と対向し、着色層ＣＦ２は、領域Ｒ２と対向している。着色層ＣＦ３は、第２方向ｄ２に並んだ複数の領域Ｒ３と対向し、上記複数の領域Ｒ３に沿って延出している。着色層ＣＦ４は、第２方向ｄ２に並んだ複数の領域Ｒ４と対向し、上記複数の領域Ｒ４に沿って延出している。
【００２５】
本実施形態において、第１色は青色（Ｂ）であり、第２色は白色（Ｗ）であり、第３色は赤色（Ｒ）であり、第４色は緑色（Ｇ）である。例えば、着色層ＣＦ２は、透明な、或いは薄く色付いた着色層である。着色層ＣＦ２は実質的に透明であり、着色層ＣＦ２を無着色層と称した方が適当な場合があり得る。但し、第１色、第２色、第３色、及び第４色に関しては、例示的に示したものであり、種々変形可能である。第１色、第２色、第３色、及び第４色のうちの何れかの色が青色であり、別の色が白色であり、別の色が緑色であり、残りの色が赤色であればよい。また、上述した第１色乃至第４色は、青色、白色、緑色及び赤色の組み合わせに限定されるものではない。また、第２色と着色層ＣＦ２とを、白色替えて、上記青色、緑色、及び、赤色とは異なる色としてもよい。
【００２６】
本明細書では、一例として、３８０ｎｍ乃至７８０ｎｍの波長範囲の光を「可視光」として定義する。第１色は、青色であり、３８０ｎｍ以上４９０ｎｍ未満の波長を有すると定義する。第２色は、白色である。第３色は、赤色であり、５９０ｎｍ以上７８０ｎｍ未満の波長を有すると定義する。第４色は、緑色であり、４９０ｎｍ以上５９０ｎｍ未満の波長を有すると定義する。「実質的に透明」とは、無着色である場合に加えて、可視光におけるいずれかの色に薄く着色された場合も包含する。
【００２７】
第２方向ｄ２において、各々の画素ＭＰの領域Ｒ３の長さ及び領域Ｒ４の長さは、実質的に同一である。第２方向ｄ２において、第１画素ＭＰ１の領域Ｒ１の長さ及び第３画素ＭＰ３の領域Ｒ１の長さは、実質的に同一である。第２方向ｄ２において、第２画素ＭＰ２の領域Ｒ１の長さ及び第４画素ＭＰ４の領域Ｒ１の長さは、実質的に同一である。
【００２８】
第１画素ＭＰ１及び第３画素ＭＰ３の領域Ｒ１の第１方向ｄ１の幅は、実質的に同一の第１幅を有している。第２画素ＭＰ２及び第４画素ＭＰ４の領域Ｒ２の第１方向ｄ１の幅は、実質的に同一の第２幅を有している。各々の画素ＭＰの領域Ｒ３の第１方向ｄ１の幅は、実質的に同一の第３幅を有している。各々の画素ＭＰの領域Ｒ４の第１方向ｄ１の幅は、実質的に同一の第４幅を有している。  
第１幅は、第２幅より大きい。上記のように、第１幅が第２幅より大きければよく、第１幅と第２幅との関係を除く第１幅乃至第４幅の関係は、特に限定されるものではない。本実施形態において、第３幅は第４幅より大きく、第２幅は第３幅より大きい。
【００２９】
第１画素ＭＰ１及び第３画素ＭＰ３の領域Ｒ１は、実質的に同一の第１面積を有している。第２画素ＭＰ２及び第４画素ＭＰ４の領域Ｒ２は、実質的に同一の第２面積を有している。各々の画素ＭＰの領域Ｒ３は、実質的に同一の第３面積を有している。各々の画素ＭＰの領域Ｒ４は、実質的に同一の第４面積を有している。  
第１面積乃至第４面積の関係は、特に限定されるものではない。本実施形態において、第３面積は第４面積より大きく、第２面積は第３面積より大きく、第１面積は第２面積より大きい。
【００３０】
上記のように各々の画素ＭＰを構成することにより、全ての画素ＭＰを赤色（Ｒ）、緑色（Ｇ）、青色（Ｂ）、及び白色（Ｗ）の４色の副画素で構成する場合と比較して、画素群ＭＰＧを構成する副画素ＳＰの個数を少なくすることができる。これにより、実効的な解像度を落とすことなく副画素ＳＰの開口率を向上することが可能となる。また、各々の画素群ＭＰＧは、白色（Ｗ）の副画素ＳＰを有しているため、表示画像の輝度レベルの向上を図ることができる。  
また、本実施形態において、領域Ｒ１乃至領域Ｒ４のうち、第１色（青色）の領域Ｒ１の面積の比率を高くすることができるため、領域Ｒ１の光透過率を高くすることができ、ひいては低消費電力化に寄与することができる。領域Ｒ１の第１幅を大きくすることにより、第２色（白色）領域Ｒ２の第２幅が付随して大きくなる事態を回避することができる。領域Ｒ３の第３幅や領域Ｒ４の第４幅が小さくなる事態も回避することができるため、領域Ｒ３の面積の比率、及び領域Ｒ４の面積の比率の低下を抑制することができる。
【００３１】
各々の領域Ｒや各々の着色層ＣＦは、第３方向ｄ３及び第４方向ｄ４の少なくとも一方の方向に延在している。ここで、第３方向ｄ３は、第２方向ｄ２から第１回転方向に鋭角に傾斜した方向である。第４方向ｄ４は、第２方向ｄ２から第１回転方向とは逆の回りの第２回転方向に鋭角に傾斜した方向である。本実施形態において、第１回転方向は右回りであり、第２回転方向は左回りである。但し、本実施形態と異なり、第１回転方向が左回りであり、第２回転方向が右回りであってもよい。  
上記のことから、本実施形態は、上記の領域Ｒが第２方向ｄ２に延びた長方形の形状を有している場合と比較して、視野角特性に関して補償することができる。液晶表示パネルＰＮＬの広視野角化に寄与することができる。
【００３２】
画素群ＭＰＧにおいて、第２画素ＭＰ２や第４画素ＭＰ４における第１色（青色）の不足分を第１画素ＭＰ１及び第３画素ＭＰ３の少なくとも一方に割り付けることができる。このため、各々の画素ＭＰはカラー画像を擬似的に表示することが可能となる。  
平面視において、第１画素ＭＰ１の領域Ｒ１の電界による液晶分子の配向方向と、第３画素ＭＰ３の領域Ｒ１の電界による液晶分子の配向方向とは、第２方向ｄ２の軸に対して反転した関係になり得る。このため、第１方向ｄ１（水平方向）における色度の視野角依存性を少なくすることができる。これにより、画面を左側からみるユーザと、画面を右側からみるユーザとに、同じ色味の画像を表示することが可能となる。
【００３３】
図５は、アレイ基板ＡＲの構成を示す平面図である。  
図５に示すように、アレイ基板ＡＲは、走査線Ｇ、信号線Ｓ、画素電極ＰＥ、スイッチング素子ＳＷ、第１駆動回路ＤＲ１、第２駆動回路ＤＲ２などを備えている。  
複数の走査線Ｇは、表示領域ＤＡにおいて、第１方向ｄ１に延在し、第２方向ｄ２に間隔を置いて並んでいる。例えば、第２走査線Ｇ２及び第３走査線Ｇ３は、第１走査線Ｇ１と、第２方向ｄ２に間隔を置いて並べられている。この実施形態において、走査線Ｇは、第１方向ｄ１に直線的に延在している。複数の信号線Ｓは、表示領域ＤＡにおいて、第２方向ｄ２に延在し、複数の走査線Ｇと交差し、第１方向ｄ１に間隔を置いて並んでいる。なお、信号線Ｓは、必ずしも直線的に延出していなくてもよく、一部が屈曲していたり、第１方向ｄ１及び第２方向ｄ２に交差する方向に延出していたりしてもよい。本実施形態において、信号線Ｓは、屈曲しつつ、上記第２方向ｄ２、第３方向ｄ３及び第４方向ｄ４に延出している。
【００３４】
第１駆動回路ＤＲ１及び第２駆動回路ＤＲ２は、非表示領域ＮＤＡに配置されている。第１駆動回路ＤＲ１は、非表示領域ＮＤＡに引き出された走査線Ｇと電気的に接続されている。第２駆動回路ＤＲ２は、非表示領域ＮＤＡに引き出された信号線Ｓと電気的に接続されている。第１駆動回路ＤＲ１は、各走査線Ｇに制御信号を出力する。第２駆動回路ＤＲ２は、各信号線Ｓに画像信号（例えば、映像信号）を出力する。
【００３５】
第１色副画素ＳＰ１は、走査線Ｇに接続された第１スイッチング素子ＳＷ１と、この第１スイッチング素子ＳＷ１を介して信号線Ｓに接続された第１画素電極ＰＥ１と、を含んでいる。第２色副画素ＳＰ２は、走査線Ｇに接続された第２スイッチング素子ＳＷ２と、この第２スイッチング素子ＳＷ２を介して信号線Ｓに接続された第２画素電極ＰＥ２と、を含んでいる。第３色副画素ＳＰ３は、走査線Ｇに接続された第３スイッチング素子ＳＷ３と、この第３スイッチング素子ＳＷ３を介して信号線Ｓに接続された第３画素電極ＰＥ３と、を含んでいる。第４色副画素ＳＰ４は、走査線Ｇに接続された第４スイッチング素子ＳＷ４と、この第４スイッチング素子ＳＷ４を介して信号線Ｓに接続された第４画素電極ＰＥ４と、を含んでいる。  
本実施形態において、第１方向ｄ１に並んだ複数の副画素ＳＰの複数のスイッチング素子ＳＷは、同一の走査線Ｇに接続されている。  
平面視において、上記領域Ｒ１は、第１信号線Ｓ１と第２信号線Ｓ２と第１走査線Ｇ１と第２走査線Ｇ２とで囲まれ、第１画素電極ＰＥ１が形成された領域であり、上記領域Ｒ２は、第１信号線Ｓ１と第２信号線Ｓ２と第２走査線Ｇ２と第３走査線Ｇ３とで囲まれ、第２画素電極ＰＥ２が形成された領域である。
【００３６】
図６は、液晶表示パネルＰＮＬの１個の画素群ＭＰＧなどを示す構成図であり、信号線Ｓ、画素電極ＰＥ、及び遮光層ＳＨを示す平面図である。  
なお、図示した例では、画素ＭＰは、表示モードとしてＦＦＳ（Fringe Field Switching）モードに対応した構成を有しているが、共通電極の図示は省略している。信号線Ｓ及び画素電極ＰＥは、上記のアレイ基板に形成される一方で、遮光層ＳＨは、上記の対向基板に形成される。なお、遮光層ＳＨは、図中に二点鎖線で示している。
【００３７】
図６に示すように、遮光層ＳＨは、副画素ＳＰの境界に沿った形状を有している。遮光層ＳＨは、少なくともバックライトユニットＢＬから照射される光を遮蔽する機能を有している。遮光層ＳＨは、黒色の樹脂などの光吸収率の高い材料で形成されている。又は、遮光層ＳＨは、金属などの光反射率の高い材料で形成されている。遮光層ＳＨによって囲まれた領域は、上記領域Ｒ１乃至Ｒ４であり、表示に寄与する領域となる。遮光層ＳＨは、複数の帯状の第１延出部ＳＨ１と、複数の帯状の第２延出部ＳＨ２と、を有している。本実施形態において、第１延出部ＳＨ１、及び第２延出部ＳＨ２は、一体に形成されている。
【００３８】
第１延出部ＳＨ１は、信号線Ｓと対向し、信号線Ｓに沿って延出している。第１方向ｄ１の位置に関して、第１延出部ＳＨ１のセンターと信号線Ｓのセンターとが、一致していてもよく、ずれていてもよい。  
例えば、本実施形態において、第１延出部ＳＨ１のうち、第１画素電極ＰＥ１と第３画素電極ＰＥ３との間に位置する部分は第１画素電極ＰＥ１に近づくようにずれている。第１方向ｄ１において、上記部分の中心は、第１画素電極ＰＥ１と信号線Ｓ（Ｓ１，Ｓ３）の中心との間に位置している。
また、第１延出部ＳＨ１のうち、第２画素電極ＰＥ２と第３画素電極ＰＥ３との間に位置する部分は第２画素電極ＰＥ２に近づくようにずれている。第１方向ｄ１において、上記部分の中心は、第２画素電極ＰＥ２と信号線Ｓ（Ｓ１，Ｓ３）の中心との間に位置している。  
さらに、第１延出部ＳＨ１のうち、第２画素電極ＰＥ２と第４画素電極ＰＥ４との間に位置する部分は第２画素電極ＰＥ２に近づくようにずれている。第１方向ｄ１において、上記部分の中心は、第２画素電極ＰＥ２と信号線Ｓ（Ｓ２，Ｓ４）の中心との間に位置している。
【００３９】
第１方向ｄ１の位置に関して、画素電極ＰＥのセンターは、隣合う一対の信号線Ｓのセンターと一致していてもよい。又は、画素電極ＰＥの位置をずらすことにより、画素電極ＰＥのセンターは、隣合う一対の第１延出部ＳＨ１の中間と一致していてもよい。  
例えば、本実施形態において、第１画素電極ＰＥ１のセンターは、隣合う一対の第１延出部ＳＨ１の中間と一致している。第２画素電極ＰＥ２のセンターは、隣合う一対の第１延出部ＳＨ１の中間と一致している。第３画素電極ＰＥ３のセンターは、隣合う一対の信号線Ｓのセンターと一致している。第４画素電極ＰＥ４のセンターは、隣合う一対の信号線Ｓのセンターと一致している。
【００４０】
第２遮光層ＳＨ２は、上述した走査線Ｇと対向し、走査線Ｇに沿って延出している。第２遮光層ＳＨ２は、走査線Ｇ、画素電極ＰＥの端部、上述したスイッチング素子ＳＷなどと対向している。第２遮光層ＳＨ２の両側縁は、ジグザグに第１方向ｄ１に延出している。第２遮光層ＳＨ２の幅は一定でなくともよい。例えば、第２遮光層ＳＨ２の幅のうち、第１画素ＭＰ１と第２画素ＭＰ２との間にて着色層ＣＦ３，ＣＦ４と対向する領域の幅を大きく、第３画素ＭＰ３と第４画素ＭＰ４との間にて着色層ＣＦ３，ＣＦ４と対向する領域の幅を相対的に小さく、してもよい。
【００４１】
第１色副画素ＳＰ１は１本又は複数本の第１線状電極ＬＥ１を有し、第２色副画素ＳＰ２は１本又は複数本の第２線状電極ＬＥ２を有し、第３色副画素ＳＰ３は１本又は複数本の第３線状電極ＬＥ３を有し、第４色副画素ＳＰ４は１本又は複数本の第４線状電極ＬＥ４を有している。後述するが、本実施形態において、共通電極は画素電極ＰＥの下方に位置している。このため、画素電極ＰＥが線状電極ＬＥを有している。共通電極に対して画素電極ＰＥが下方に位置する場合は、共通電極が上述の線状電極を有し、画素電極ＰＥは平板上の電極となる。
【００４２】
本実施形態において、第１画素電極ＰＥ１は複数本の第１線状電極ＬＥ１を有し、第２画素電極ＰＥ２は複数本の第２線状電極ＬＥ２を有し、第３画素電極ＰＥ３は複数本の第３線状電極ＬＥ３を有し、第４画素電極ＰＥ４は複数本の第４線状電極ＬＥ４を有している。本実施形態において、第１画素電極ＰＥ１、第２画素電極ＰＥ２、第３画素電極ＰＥ３、及び第４画素電極ＰＥ４における線状電極ＬＥの本数は、同じである。但し、本実施形態と異なり、画素電極ＰＥ毎に線状電極ＬＥの本数が異なっていてもよい。例えば、第１画素電極ＰＥ１や第２画素電極ＰＥ２における線状電極ＬＥの本数は、第３画素電極ＰＥ３や第４画素電極ＰＥ４における線状電極ＬＥの本数より多くともよい。
【００４３】
第１画素ＭＰ１と第４画素ＭＰ４との線状電極ＬＥは、第３方向ｄ３に延出している。第２画素ＭＰ２と第３画素ＭＰ３との線状電極ＬＥは、第４方向ｄ４に延出している。ここで、図中、複数の信号線Ｓのうち、第１画素ＭＰ１の第１画素電極ＰＥ１と第２画素ＭＰ２の第２画素電極ＰＥ２との右隣の信号線Ｓを第１信号線Ｓ１とし、それらの左隣の信号線Ｓを第２信号線Ｓ２とする。また、第３画素ＭＰ３の第１画素電極ＰＥ１と第４画素ＭＰ４の第２画素電極ＰＥ２との右隣の信号線Ｓを第３信号線Ｓ３とし、左隣の信号線Ｓを第４信号線Ｓ４とする。
【００４４】
第２方向ｄ２における第１画素ＭＰ１の第１画素電極ＰＥ１の中央部を通る第１信号線Ｓ１と第２信号線Ｓ２との第１方向ｄ１の第１間隔Ｄ１ａは、第２方向ｄ２における第２画素ＭＰ２の第２画素電極ＰＥ２の中央部を通る第１信号線Ｓ１と第２信号線Ｓ２との第１方向ｄ１の第２間隔Ｄ２ａより大きい。  
なお、第１間隔Ｄ１ａは、上述した第１信号線Ｓ１と第２信号線Ｓ２と第１走査線Ｇ１と第２走査線Ｇ２とで囲まれた第１領域の第１方向ｄ１の間隔に相当し、詳しくは、上記第１領域の第２方向ｄ２の中央部における間隔に相当する。第２間隔Ｄ２ａは、上述した第１信号線Ｓ１と第２信号線Ｓ２と第２走査線Ｇ２と第３走査線Ｇ３とで囲まれた第２領域の第１方向ｄ１の間隔に相当し、詳しくは、上記第２領域の第２方向ｄ２の中央部における間隔に相当する。  
第２方向ｄ２における第３画素ＭＰ３の第１画素電極ＰＥ１の中央部を通る第３信号線Ｓ３と第４信号線Ｓ４との第１方向ｄ１の間隔は、上記第１間隔Ｄ１ａである。第２方向ｄ２における第４画素ＭＰ４の第２画素電極ＰＥ２の中央部を通る第３信号線Ｓ３と第４信号線Ｓ４との第１方向ｄ１の間隔は、上記第２間隔Ｄ２ａである。
【００４５】
第１信号線Ｓ１は、第１画素ＭＰ１の第１線状電極ＬＥ１と並行して延在した第１延在部Ｓ１ａと、第２画素ＭＰ２の第２線状電極ＬＥ２と並行して延在した第２延在部Ｓ１ｂと、第１延在部Ｓ１ａと第２延在部Ｓ１ｂとを接続した第１接続部Ｓ１ｃと、を有している。図中、第１延在部Ｓ１ａ及び第２延在部Ｓ１ｂや、後述する第３延在部Ｓ２ａ、第４延在部Ｓ２ｂ、第５延在部Ｓ３ａ、第６延在部Ｓ３ｂ、第７延在部Ｓ４ａ、及び第８延在部Ｓ４ｂには、斜線を付している。
【００４６】
第２信号線Ｓ２は、第１画素ＭＰ１の第１線状電極ＬＥ１と並行して延在した第３延在部Ｓ２ａと、第２画素ＭＰ２の第２線状電極ＬＥ２と並行して延在した第４延在部Ｓ２ｂと、第３延在部Ｓ２ａと第４延在部Ｓ２ｂとを接続した第２接続部Ｓ２ｃと、を有している。上記第１間隔Ｄ１ａは、第１延在部Ｓ１ａと第３延在部Ｓ２ａとの第１方向ｄ１の間隔である。上記第２間隔Ｄ２ａは、第２延在部Ｓ１ｂと第４延在部Ｓ２ｂとの第１方向ｄ１の間隔である。
【００４７】
第３信号線Ｓ３は、第３画素ＭＰ３の第１線状電極ＬＥ１と並行して延在した第５延在部Ｓ３ａと、第４画素ＭＰ４の第２線状電極ＬＥ２と並行して延在した第６延在部Ｓ３ｂと、第１延在部Ｓ３ａと第２延在部Ｓ３ｂとを接続した第３接続部Ｓ３ｃと、を有している。第４信号線Ｓ４は、第３画素ＭＰ３の第１線状電極ＬＥ１と並行して延在した第７延在部Ｓ４ａと、第４画素ＭＰ４の第２線状電極ＬＥ２と並行して延在した第８延在部Ｓ４ｂと、第７延在部Ｓ４ａと第８延在部Ｓ４ｂとを接続した第４接続部Ｓ４ｃと、を有している。第５延在部Ｓ３ａと第７延在部Ｓ４ａとの第１方向ｄ１の間隔は、上記第１間隔Ｄ１ａである。第６延在部Ｓ３ｂと第８延在部Ｓ４ｂとの第１方向ｄ１の間隔は、上記第２間隔Ｄ２ａである。なお、上述したように、第１間隔Ｄ１ａは第２間隔Ｄ２ａより大きい（Ｄ１ａ＞Ｄ２ａ）。
【００４８】
第１画素ＭＰ１の第１線状電極ＬＥ１、第４画素ＭＰ４の第２線状電極ＬＥ２、第１延在部Ｓ１ａ、第３延在部Ｓ２ａ、第６延在部Ｓ３ｂ、及び第８延在部Ｓ４ｂは、第３方向ｄ３に延在している。第２画素ＭＰ２の第２線状電極ＬＥ２、第３画素ＭＰ３の第１線状電極ＬＥ１、第２延在部Ｓ１ｂ、第４延在部Ｓ２ｂ、第５延在部Ｓ３ａ、及び第７延在部Ｓ４ａは、第４方向ｄ４に延在している。
【００４９】
第１信号線Ｓ１は、第１延在部Ｓ１ａと第１接続部Ｓ１ｃとの境界などで屈曲し、第２信号線Ｓ２は、第３延在部Ｓ２ａと第２接続部Ｓ２ｃとの境界などで屈曲し、第３信号線Ｓ３は、第６延在部Ｓ３ｂと第３接続部Ｓ３ｃとの境界などで屈曲し、第４信号線Ｓ４は、第８延在部Ｓ４ｂと第４接続部Ｓ４ｃとの境界などで屈曲している。第１方向ｄ１において、延在部と接続部との境界の位置は、揃っている。
【００５０】
第１接続部Ｓ１ｃにおける第１延在部Ｓ１ａ側の端部、第２接続部Ｓ２ｃにおける第３延在部Ｓ２ａ側の端部、及び第３接続部Ｓ３ｃにおける第６延在部Ｓ３ｂ側の端部は、それぞれ、第２方向ｄ２から上記第２回転方向に鋭角に傾斜した方向（第４方向ｄ４側）に延出している。なお、第４接続部Ｓ４ｃにおける第８延在部Ｓ４ｂ側の端部は、第２方向ｄ２に延出している。第１延在部Ｓ１ａ、第３延在部Ｓ２ａ、及び第６延在部Ｓ３ｂのそれぞれの長さを長くすることができ、領域Ｒ１乃至領域Ｒ４のそれぞれの面積を大きくすることができる。
【００５１】
第１方向にｄ１隣合う第１画素ＭＰ１と第４画素ＭＰ４とに含まれる６個の副画素ＳＰの群は、第１方向ｄ１に等間隔で配置されている。第１方向にｄ１隣合う第２画素ＭＰ２と第３画素ＭＰ３とに含まれる６個の副画素ＳＰの群は、第１方向ｄ１に等間隔で配置されている。  
各々の画素群ＭＰＧの第１方向ｄ１に並んだ６個の画素電極ＰＥを挟む一対の信号線Ｓの第１方向ｄ１のピッチＰａは、一定である。ここで言う、ピッチＰａが一定とは、ピッチＰａが完全に同じと言う意味ではなく、一方に対して他方が０．９倍から１．１倍程度の関係にあるような小さな差異が関係も含んでいる。  
また、例えば、第１画素ＭＰ１及び第２画素ＭＰ２において、各副画素ＳＰは平面視において一対の信号線Ｓの間にあり、各副画素ＳＰにおける一対の信号線Ｓの間隔は一定である。ここで言う、一対の信号線Ｓの間隔が一定とは、上記間隔が完全に同じと言う意味ではなく、一方に対して他方が０．９倍から１．１倍程度の関係にあるような小さな差異が関係も含んでいる。
【００５２】
図７は、図６に示した２個の画素ＭＰの一部を示す拡大平面図である。図７には、第１画素ＭＰ１と第２画素ＭＰ２とを示している。なお、画素電極の図示は省略している。図中、複数の走査線Ｇのうち、上側の走査線Ｇを第１走査線Ｇ１とし、下側の走査線Ｇを第２走査線Ｇ２とする。第１走査線Ｇ１及び第２走査線Ｇ２は、第１方向ｄ１に延在し、互いに距離を置いて位置している。  
図７に示すように、各副画素ＳＰは導電層ＣＬを備えている。平面視にて、導電層ＣＬの全体が、遮光層ＳＨで覆われている。第１副画素ＳＰ１は導電層ＣＬ１を備え、第２副画素ＳＰ２は導電層ＣＬ２を備え、第３副画素ＳＰ３は導電層ＣＬ３を備え、第４副画素ＳＰ４は導電層ＣＬ４を備えている。第１画素ＭＰ１の導電層ＣＬのうち、導電層ＣＬ１は第１走査線Ｇ１の第１方向ｄ１に延在する第１主部より上側に位置し、導電層ＣＬ３，ＣＬ４は第１走査線Ｇ１の第１主部より下側に位置している。このため、第１画素ＭＰ１において第１画素電極ＰＥ１が導電層ＣＬ１にコンタクトする位置は、第１走査線Ｇ１の第１主部より上側であり、第３画素電極ＰＥ３が導電層ＣＬ３にコンタクトする位置及び第４画素電極ＰＥ４が導電層ＣＬ４にコンタクトする位置は、第１走査線Ｇ１の第１主部より下側である。
【００５３】
一方、第２画素ＭＰ２の導電層ＣＬ２，ＣＬ３，ＣＬ４は第２走査線Ｇ２の第１方向ｄ１に延在する第２主部より下側に位置している。このため、第２画素ＭＰ２において第２画素電極ＰＥ２が導電層ＣＬ２にコンタクトする位置、第３画素電極ＰＥ３が導電層ＣＬ３にコンタクトする位置及び第４画素電極ＰＥ４が導電層ＣＬ４にコンタクトする位置は、第２走査線Ｇ２の第２主部より下側である。
【００５４】
各スイッチング素子ＳＷは半導体層ＳＣを備えている。半導体層ＳＣは、走査線Ｇと２個所で交差している。このため、スイッチング素子ＳＷは、それぞれダブルゲート型の薄膜トランジスタで形成されている。但し、本実施形態と異なり、半導体層ＳＣは、走査線Ｇと１個所で交差していてもよく、又は走査線Ｇと３個所で交差していてもよい。
【００５５】
第１スイッチング素子ＳＷ１は、第１薄膜トランジスタであり、第１半導体層ＳＣ１、第１ゲート電極ＧＥ１を有している。第１半導体層ＳＣ１は、第１信号線Ｓ１に接続された第１電極領域ＲＥ１と、導電層ＣＬ１（第１画素電極ＰＥ１）に接続された第２電極領域ＲＥ２と、第１電極領域ＲＥ１と第２電極領域ＲＥ２との間に位置し第１走査線Ｇ１と重畳した第３電極領域ＲＥ３と、を有している。第１走査線Ｇ１が上側、第２走査線Ｇ２が下側となる平面視において、第１半導体層ＳＣ１（第３電極領域ＲＥ３）は、Ｌ字を１８０度回転した形状に形成されている。  
第１ゲート電極ＧＥ１は、第１走査線Ｇ１の一部であり、第３電極領域ＲＥ３と対向している。本実施形態において、第１ゲート電極ＧＥ１の一方は第１走査線Ｇ１の第１主部を利用し、他方は上記第１主部から分岐した第１分岐部を利用している。第１半導体層ＳＣ１は、第１主部と第１分岐部と重畳している。
【００５６】
第２スイッチング素子ＳＷ２は、第２薄膜トランジスタであり、第２半導体層ＳＣ２、第２ゲート電極ＧＥ２を有している。第２半導体層ＳＣ２は、第１信号線Ｓ１に接続された第４電極領域ＲＥ４と、導電層ＣＬ２（第２画素電極ＰＥ２）に接続された第５電極領域ＲＥ５と、第４電極領域ＲＥ４と第５電極領域ＲＥ５との間に位置し第２走査線Ｇ２と重畳した第６電極領域ＲＥ６と、を有している。第１走査線Ｇ１が上側、第２走査線Ｇ２が下側となる平面視において、第２半導体層ＳＣ２（第６電極領域ＲＥ６）は、Ｌ字を左右反転した形状に形成されている。  
第２ゲート電極ＧＥ２は、第２走査線Ｇ２の一部であり、第６電極領域ＲＥ６と対向している。本実施形態において、第２ゲート電極ＧＥ２の一方は第２走査線Ｇ２の第２主部を利用し、他方は上記第２主部から分岐した第２分岐部を利用している。第２分岐部は、第１分岐部の延在方向の反対方向に延在している。第２半導体層ＳＣ２は、第２主部と第２分岐部と重畳している。
【００５７】
第３スイッチング素子ＳＷ３は、第３薄膜トランジスタであり、第３半導体層ＳＣ３、第３ゲート電極ＧＥ３を有している。第３半導体層ＳＣ３は、信号線Ｓに接続された第７電極領域ＲＥ７と、導電層ＣＬ３（第３画素電極ＰＥ３）に接続された第８電極領域ＲＥ８と、第７電極領域ＲＥ７と第８電極領域ＲＥ８との間に位置し走査線Ｇと重畳した第９電極領域ＲＥ９と、を有している。例えば、第１画素ＭＰ１の第３半導体層ＳＣ３は、第１走査線Ｇ１の第１主部と２点で重畳している。
【００５８】
第４スイッチング素子ＳＷ４は、第４薄膜トランジスタであり、第４半導体層ＳＣ４、第４ゲート電極ＧＥ４を有している。第４半導体層ＳＣ４は、信号線Ｓに接続された第１０電極領域ＲＥ１０と、導電層ＣＬ４（第４画素電極ＰＥ４）に接続された第１１電極領域ＲＥ１１と、第１０電極領域ＲＥ１０と第１１電極領域ＲＥ１１との間に位置し走査線Ｇと重畳した第１２電極領域ＲＥ１２と、を有している。例えば、第１画素ＭＰ１の第４半導体層ＳＣ４は、第１走査線Ｇ１の第１主部と２点で重畳している。
【００５９】
第１走査線Ｇ１が上側、第２走査線Ｇ２が下側となる平面視において、第１画素ＭＰ１の第３半導体層ＳＣ３（第９電極領域ＲＥ９）及び第４半導体層ＳＣ４（第１２電極領域ＲＥ１２）は、それぞれ、第１走査線Ｇ１と交差しＵ字を上下反転した形状に形成されている。上記平面視において、第２画素ＭＰ２の第３半導体層ＳＣ３（第９電極領域ＲＥ９）及び第４半導体層ＳＣ４（第１２電極領域ＲＥ１２）は、それぞれ、第２走査線Ｇ２と交差しＵ字を上下反転した形状に形成されている。
【００６０】
図７及び図６に示すように、ここで、第１信号線Ｓ１、第２信号線Ｓ２、第１走査線Ｇ１、及び第２走査線Ｇ２で囲まれた領域（第１領域）の外側に第２電極領域ＲＥ２及び第５電極領域ＲＥ５が位置している。なお、導電層ＣＬ１及び導電層ＣＬ２も、上記領域の外側に位置している。これにより、第１色（青色）の領域Ｒ１の面積の比率を高くすることができる。  
なお、本実施形態において、半導体層ＳＣは、多結晶シリコンを利用して形成されている。但し、本実施形態と異なり、半導体層ＳＣは、酸化物半導体など多結晶シリコン以外の半導体を利用して形成されていてもよい。
【００６１】
図８は、図８の線Ｖ１１Ｉ−ＶＩＩＩに沿った液晶表示パネルを示す断面図である。  
図８に示すように、アレイ基板ＡＲは、ガラス基板や樹脂基板などの光透過性を有する第１絶縁基板１０を用いて形成されている。アレイ基板ＡＲは、絶縁膜１１、絶縁膜１２、絶縁膜１３、絶縁膜１４、絶縁膜１５、第１スイッチング素子ＳＷ１、第１走査線Ｇ１、第１信号線Ｓ１、第１画素電極ＰＥ１、共通電極ＣＥ、第１配向膜ＡＬ１などを備えている。図示した例では、第１スイッチング素子ＳＷ１は、トップゲート構造を有している。但し、本実施形態と異なり、各スイッチング素子ＳＷは、ボトムゲート構造を有していてもよい。
【００６２】
絶縁膜１１は、第１絶縁基板１０の上に形成されている。第１スイッチング素子ＳＷ１の第１半導体層ＳＣ１は、絶縁膜１１の上に形成されている。絶縁膜１２は、絶縁膜１１及び第１半導体層ＳＣ１の上に形成されている。第１走査線Ｇ１は、絶縁膜１２上に形成されている。第１ゲート電極ＧＥ１は、第３電極領域ＲＥ３と対向している。
【００６３】
絶縁膜１３は、第１走査線Ｇ１及び絶縁膜１２の上に形成されている。第１信号線Ｓ１及び導電層ＣＬ１は、絶縁膜１３の上に形成されている。第１信号線Ｓ１は、絶縁膜１２及び絶縁膜１３を貫通するコンタクトホールを通って第１半導体層ＳＣ１の第１電極領域ＲＥ１にコンタクトしている。導電層ＣＬ１は、絶縁膜１２及び絶縁膜１３を貫通する他のコンタクトホールを通って第１半導体層ＳＣ１の第２電極領域ＲＥ２にコンタクトしている。
【００６４】
絶縁膜１４は、絶縁膜１３、第１信号線Ｓ１、及び導電層ＣＬ１の上に形成されている。共通電極ＣＥは、絶縁膜１４の上に形成されている。絶縁膜１５は、絶縁膜１４及び共通電極ＣＥの上に形成されている。絶縁膜１１乃至１５に利用する絶縁材料は特に限定されるものではない。例えば、絶縁膜１１、絶縁膜１２、絶縁膜１３及び絶縁膜１５は、シリコン窒化物（ＳｉＮ）やシリコン酸化物（ＳｉＯ）などの無機材料によって形成される。絶縁膜１４は、アクリル樹脂などの有機材料によって形成される。
【００６５】
第１画素電極ＰＥ１は、絶縁膜１５の上に形成されている。第１画素電極ＰＥ１は、絶縁膜１４及び絶縁膜１５を貫通するコンタクトホールＣＨ１を通って導電層ＣＬ１にコンタクトしている。共通電極ＣＥ及び画素電極ＰＥ（線状電極ＬＥ）は、導電材料で形成されている。例えば、共通電極ＣＥ及び画素電極ＰＥは、インジウム・ジンク・オキサイド（ＩＺＯ）やインジウム・ティン・オキサイド（ＩＴＯ）などの透明導電材料によって形成されている。第１配向膜ＡＬ１は、絶縁膜１５及び画素電極ＰＥの上に形成されている。
【００６６】
対向基板ＣＴは、ガラス基板や樹脂基板などの光透過性を有する第２絶縁基板２０を用いて形成されている。対向基板ＣＴは、遮光層ＳＨ、カラーフィルタＣＦ、オーバーコート層ＯＣ、第２配向膜ＡＬ２などを備えている。カラーフィルタＣＦは、色、形状、サイズなどが異なる複数の着色層を有している。  
遮光層ＳＨは、第１信号線Ｓ１に対向して位置した第１延出部ＳＨ１と、第１走査線Ｇ１に対向して位置した第２延出部ＳＨ２と、を有している。
【００６７】
着色層ＣＦ１，ＣＦ２のそれぞれの端部は、遮光層ＳＨと重なっている。オーバーコート層ＯＣは、透明な樹脂材料によって形成され、着色層ＣＦ１，ＣＦ２など、カラーフィルタＣＦを覆っている。第２配向膜ＡＬ２は、オーバーコート層ＯＣのアレイ基板ＡＲと対向する側に形成されている。
【００６８】
なお、図示した例では、カラーフィルタＣＦは、対向基板ＣＴに形成されたが、アレイ基板ＡＲに形成されていてもよい。また、カラーフィルタＣＦは、着色層ＣＦ２無しに形成することができ得る。  
本実施形態に係る液晶表示装置ＤＳＰは、上述したように形成されている。
【００６９】
上記のように構成された一実施形態に係る液晶表示装置ＤＳＰによれば、液晶表示装置ＤＳＰは、第１信号線Ｓ１と、第１方向ｄ１に第１信号線Ｓ１に間隔を置いて並べられた第２信号線Ｓ２と、第１信号線Ｓ１と第２信号線Ｓ２との間に位置した第１画素電極ＰＥ１と、第１信号線Ｓ１と第２信号線Ｓ２との間に位置し第１画素電極ＰＥ１と隣合う第２画素電極ＰＥ２と、を備えている。第２方向ｄ２における第１画素電極ＰＥ１の中央部を通る第１信号線Ｓ１と第２信号線Ｓ２との第１間隔Ｄ１ａは、第２方向ｄ２における第２画素電極ＰＥ２の中央部を通る第１信号線Ｓ１と第２信号線Ｓ２との第２間隔Ｄ２ａより大きい。
【００７０】
第１色（青色）の領域Ｒ１の面積の比率を高くすることができるため、領域Ｒ１の光透過率を高くすることができ、低消費電力化に寄与することができる。領域Ｒ１の第１幅を大きくすることにより、第２色（白色）の領域Ｒ２の第２幅が付随して大きくなる事態を回避することができる。第３色（赤色）の領域Ｒ３の第３幅や第４色（緑色）の領域Ｒ４の第４幅が小さくなる事態も回避することができる。このため、信号線Ｓに沿って並ぶ複数の副画素ＳＰの幅を調整することが可能な液晶表示装置ＤＳＰを得ることができる。
【００７１】
さらに、上述したように、第１半導体層ＳＣ１、導電層ＣＬ１、コンタクトホールＣＨ１、第２半導体層ＳＣ２、及び導電層ＣＬ２のレイアウトを調整し、第２画素電極ＰＥ２が導電層ＣＬ２にコンタクトするために通る他のコンタクトホールを導電層ＣＬ２の上方に位置させることにより、第２方向ｄ２において、領域Ｒ１の長さを領域Ｒ２の長さより長くすることができる。これにより、領域Ｒ１の面積を大きくすることができ、領域Ｒ２の面積を相対的に小さくすることができる。  
上述したことから、複数の副画素ＳＰのサイズを調整することが可能な液晶表示装置ＤＳＰを得ることができる。
【００７２】
本発明の実施形態を説明したが、上記実施形態は、例として提示したものであり、発明の範囲を限定することは意図していない。上記の新規な実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００７３】
例えば、図９に示すように、上述した実施形態（図６）とは異なり、延在部と接続部との境界の位置は、第１方向ｄ１に揃っていなくともよい。各接続部は、第２方向ｄ２に直線状に延出している。第１間隔Ｄ１ａは第２間隔Ｄ２ａより大きい（Ｄ１ａ＞Ｄ２ａ）。ここで、第２方向ｄ２における第３画素電極ＰＥ３の中央部を通る信号線Ｓの第１方向ｄ１の間隔を第３間隔Ｄ３ａ、第２方向ｄ２における第４画素電極ＰＥ４の中央部を通る信号線Ｓの第１方向ｄ１の間隔を第４間隔Ｄ４ａ、とする。第１間隔Ｄ１ａが第２間隔Ｄ２ａより大きければよく、第１間隔Ｄ１ａと第２間隔Ｄ２ａとの関係を除く第１間隔Ｄ１ａ乃至第４間隔Ｄ４ａの関係は、特に限定されるものではない。なお、図９に示す変形例においては、Ｄ３ａ＜Ｄ４ａ＜Ｄ２ａ＜Ｄ１ａである。
【００７４】
また、第２方向ｄ２における画素電極ＰＥの中央部を通る信号線Ｓの第１方向ｄ１のピッチと、走査線Ｇに重なる領域における信号線Ｓの第１方向ｄ１のピッチとは、異なっている。ここで、走査線Ｇに重なる領域における信号線Ｓの第１方向ｄ１の間隔を、第５間隔Ｄ１ｂ、第６間隔Ｄ２ｂ、第７間隔Ｄ３ｂ、第８間隔Ｄ３ｃ、第９間隔Ｄ４ｂ、第１０間隔Ｄ４ｃ、とする。例えば、第５間隔Ｄ１ｂは、第１画素電極ＰＥ１の下側に位置する走査線Ｇに重なる領域における信号線Ｓの間隔である。また、第６間隔Ｄ２ｂは、第２画素電極ＰＥ２の下側に位置する走査線Ｇに重なる領域における信号線Ｓの間隔である。
【００７５】
第５間隔Ｄ１ｂ乃至第１０間隔Ｄ４ｃの関係も、特に限定されるものではない。なお、本変形例においては、Ｄ３ｃ＜Ｄ４ｂ＜Ｄ３ｂ＜Ｄ４ｃ＜Ｄ１ｂ＝Ｄ２ｂである。また、Ｄ３ａ＝Ｄ３ｂ，Ｄ４ａ＝Ｄ４ｃである。  
上述したように、上記変形例においても、第１間隔Ｄ１ａは第２間隔Ｄ２ａより大きいため、上述した実施形態と同様の効果を得ることができる。
【００７６】
上記第１方向ｄ１及び第２方向ｄ２の向きは、上述した各実施形態に限定されるものではなく、種々変形可能である。例えば、図３に示す平面視において、第１方向ｄ１が左向き、或いは、第２方向ｄ２が上向きであってもよい。  
上述した実施形態に係る液晶表示パネルＰＮＬは、表示モードとして横電界を利用して表示を行うＩＰＳ（In-Plane Switching）モードの一つであるＦＦＳモードに対応した構成を有しているが、他の表示モードに対応した構成を有していてもよい。例えばアレイ基板ＡＲに線状の画素電極ＰＥ及び線状の共通電極ＣＥの双方が備えられた通常のＩＰＳモード、或いは、アレイ基板ＡＲに線状、或いは、平面状の画素電極ＰＥが備えられ、対向基板ＣＴに共通電極ＣＥが備えられた構成が適用可能である。  
上記の実施形態は、液晶表示装置に限らず、有機エレクトロルミネッセンス表示装置などの他の表示装置に適用することも可能である。上述した実施形態は、中小型の表示装置から大型の表示装置まで、特に限定することなく適用が可能である。
【符号の説明】
【００７７】
ＤＳＰ…液晶表示装置、ＰＮＬ…液晶表示パネル、ＡＲ…アレイ基板、ＣＴ…対向基板、ＬＣ…液晶層、ＭＰＧ…画素群、ＭＰ，ＭＰ１，ＭＰ２，ＭＰ３，ＭＰ４…画素、ＳＰ，ＳＰ１，ＳＰ２，ＳＰ３，ＳＰ４…副画素、Ｇ，Ｇ１，Ｇ２…走査線、Ｓ，Ｓ１，Ｓ２，Ｓ３，Ｓ４…信号線、ＳＷ，ＳＷ１，ＳＷ２，ＳＷ３，ＳＷ４…スイッチング素子、ＳＣ，ＳＣ１，ＳＣ２，ＳＣ３，ＳＣ４…半導体層、ＲＥ，ＲＥ１，ＲＥ２，ＲＥ３，ＲＥ４，ＲＥ５，ＲＥ６，ＲＥ７，ＲＥ８，ＲＥ９，ＲＥ１０，ＲＥ１１，ＲＥ１２…電極領域、ＰＥ，ＰＥ１，ＰＥ２，ＰＥ３，ＰＥ４…画素電極、ＬＥ，ＬＥ１，ＬＥ２，ＬＥ３，ＬＥ４…線状電極、ＳＨ…遮光層，ＣＦ…カラーフィルタ、ＣＦ１，ＣＦ２，ＣＦ３，ＣＦ４…着色層、Ｓ１ａ，Ｓ１ｂ，Ｓ２ａ，Ｓ２ｂ…延在部、Ｓ１ｃ，Ｓ２ｃ…接続部、Ｄ１ａ，Ｄ２ａ…間隔、Ｐａ…ピッチ、ｄ１…第１方向、ｄ２…第２方向、ｄ３…第３方向、ｄ４…第４方向。
【図１】
2018013584.tif 000003
【図２】
2018013584.tif 000004
【図３】
2018013584.tif 000005
【図４】
2018013584.tif 000006
【図５】
2018013584.tif 000007
【図６】
2018013584.tif 000008
【図７】
2018013584.tif 000009
【図８】
2018013584.tif 000010
【図９】
2018013584.tif 000011